(57)【特許請求の範囲】
【請求項１】
住宅内を移動可能な寸法に形成された枠体に、
洗浄ホースが巻回されたリールの回転軸の両端部を回転自在に支承するフレームと、このフレームを上記回転軸の中央部を中心として当該回転軸と直交する軸線廻りに回転自在に支承する基台と、
上記住宅の１００Ｖ電源により駆動可能なモータと、このモータによって上記フレームを上記軸線廻りに回転させるとともに第１のクラッチが介装されたフレーム回転駆動部と、このフレーム回転駆動部による上記フレームの回転を上記リールの回転軸に伝達するとともに第２のクラッチが介装されたリール回転駆動部と、
上記住宅の１００Ｖ電源により駆動可能な高圧ポンプと、この高圧ポンプの吸入側に一端部が接続されるとともに他端部が上記住宅の水道に接続可能な給水側ホースと、上記高圧ポンプの吐出側に一端部が接続されるとともに他端部が回転継手を介して上記洗浄ホースの基端部に接続された排水管と、
を設けたことを特徴とする管内洗浄装置。
【請求項２】
上記フレームは、上記リールを囲繞する角筒状に形成され、対向する一対の側板に上記リールの回転軸を支承する軸受けが配置され、底板の中央部に上記フレーム回転駆動部の出力軸が固定されるとともに、上記底板と対向する天板に上記洗浄ホースを外部に導出する孔部が形成されてなり、
かつ上記洗浄ホースが挿通された可撓性を有する案内管が、上記孔部に挿入されるとともに上記リールの外周部に沿って設けられていることを特徴とする請求項１に記載の管内洗浄装置。
【請求項３】
上記フレームの上記側板の外面には、当該側板から突出する上記リールの回転軸に回転負荷を与えるブレーキ手段が設けられていることを特徴とする請求項１または２に記載の管内洗浄装置。
【請求項４】
上記給水側ホースの上記他端部には、上記住宅の水道の蛇口に取り付けられた洗濯機用の汎用の雄コネクタと着脱可能な雌コネクタが設けられていることを特徴とする請求項１ないし３のいずれかに記載の管内洗浄装置。
【発明の詳細な説明】
【技術分野】
【０００１】
本発明は、集合住宅やビルなどの下水管等の配管に、洗浄ホースを挿入して内部を清掃するための管内洗浄装置に関するものである。
【背景技術】
【０００２】
一般に、集合住宅やビル等の下水管等の配管は、長期間の使用によってその内壁面に錆や異物の付着・堆積が生じるために、一定期間経過後に、当該配管内を洗浄する必要がある。このような配管内を洗浄するための従来の管内洗浄装置としては、例えば下記特許文献１に見られるようなものが知られている。
【０００３】
この管内洗浄装置は、図９に示すように、洗浄ホース１と、この洗浄ホース１を突出口部２ａから出し入れすると共に、当該洗浄ホース１を内周面に沿って収容する回転ハウジング２と、この回転ハウジング２を回転自在に保持するフレーム３と、このフレーム３に設けられて回転ハウジング２を回転駆動するモータ４とを備えた構成になっており、洗浄ホース１の先端部には、図１０に示すように、先端側から後方に向け、かつ斜め外方の洗浄する管の内面側に向けて水を噴出する複数の噴射孔５ａを有するノズル５が一体的に設けられている。
【０００４】
上記管内洗浄装置によれば、洗浄ホース１に高圧の水を供給して、ノズル５から高速の水を後方かつ外方に向けて噴出させることにより、当該水によって管（図示せず）の内壁を洗浄することができ、かつ洗浄ホース１を回転ハウジング２から繰り出すための推力を得ることができるとともに、回転ハウジング２をモータ３で回転駆動することにより、洗浄ホース１がその軸回りに回転することになるので、当該洗浄ホース１と一体的に回転するノズル５によって管内を効率的に清掃することができるという利点がある。
【０００５】
ところが、上記従来の管内洗浄装置においては、洗浄ホース１が単に回転ハウジング２の内面に沿って収容されているだけであるので、洗浄ホース１の繰り出し中に回転ハウジング２を回転駆動すると、当該洗浄ホース１が回転ハウジング２内でよじれて絡まった状態になりやすく、最悪の場合、洗浄ホース１を回転ハウジング２から引き出すことも、当該回転ハウジング２内に押し入れることも不可能になって、洗浄作業を停止しなければならないことがあった。
【０００６】
そこで、本出願人は、先に下記特許文献２において、枠体に、洗浄ホースが巻回されるリールを回転自在に設けるとともに、さらにこの枠体をフレームに回転自在に設け、モータによって上記枠体をフレームに対して回転駆動するとともに、このフレームに対する枠体の回転をクラッチ手段を介して上記リールの回転中心部に設けられたリール回転軸に伝達するようにした管内洗浄装置を提案した。
【０００７】
上記構成からなる管内洗浄装置によれば、リールの回転軸の方向と枠体の回転軸の方向とを直交させておくことにより、洗浄ホースをリールから繰り出している際に、モータによって枠体を回転駆動させて、洗浄ホースをその軸回りに回転させることにより、洗浄ホースを軸回りに効率よく回転させることができ、よって洗浄ホースがよじれてリールに絡まった状態になったりすることを防止することができる、という効果が得られる。
【先行技術文献】
【特許文献】
【０００８】
【特許文献１】特開２００１−１８０８７３号公報
【特許文献２】特開２００６−３５００６号公報
【発明の概要】
【発明が解決しようとする課題】
【０００９】
ところで、上記従来の管内洗浄装置を用いて、例えば高層の集合住宅における配管の洗浄を各々の住宅について行うには、地上に大型の洗浄水の貯留タンクと、当該タンク内の洗浄水を昇圧して排出する高圧ポンプを備えたトラックを配置するとともに、上記管内洗浄装置を、配管洗浄を行う住宅内に搬入して行っている。
【００１０】
すなわち、地上のトラックの高圧ポンプの排出側のホースを、当該住宅内に引き込んで管内洗浄装置に接続し、上記トラックのエンジンによって高圧ポンプを駆動することにより、排出された高圧の洗浄水を管内洗浄装置に供給して、当該住宅における配管の洗浄を行う。
【００１１】
そして、上記住宅の配管洗浄が完了すると、一旦高圧ポンプからのホースを管内洗浄装置から外して、当該管内洗浄装置を次の住宅内に移動・搬入するとともに、地上からの上記ホースも移動させて上記住宅内に引き込み、再び上記管内洗浄装置に接続して当該住宅における配管の洗浄を行う。そして、このような工程を順次繰り返すことにより、多数の住宅における配管の洗浄作業を実施する。
【００１２】
このため、上記管内洗浄装置を用いた集合住宅の配管洗浄作業においては、当該集合住宅の敷地内に、大型の洗浄水の貯留タンクとエンジン駆動の高圧ポンプを備えたトラックの配置場所を確保する必要があるという問題点があった。また、全戸の住宅に対する洗浄作業中に、上記高圧ポンプを駆動するエンジン音が、近隣に対する騒音になるおそれもあった。
【００１３】
また、洗浄作業が完了した住宅から次の住宅へ管内洗浄装置を移動している間も、通常上記トラック側においては、高圧ポンプをエンジンによって連続的に運転させるとともに、当該高圧ポンプの出口弁を閉じた状態でタンク内の洗浄水を循環させるか、あるいは下水に排水しているために、全戸の住宅の洗浄作業に要する水量が極めて多くなるという問題点があった。
【００１４】
さらに、高層住宅においては、地上の敷地内から高所まで洗浄水を送水する必要があるために、高圧ポンプから洗浄水を、本来洗浄に必要な圧力よりも高い吐出圧力で供給する必要があり、よって総体的にエネルギー損失が大きくなって経済性に劣るとともに、住宅間における高圧ポンプのホースの接続切り換え作業に、多くの作業員と手間が必要になるという問題点もあった。
【００１５】
本発明は、上記事情に鑑みてなされたものであり、洗浄水の貯留タンクを搭載したトラック等の大型の付帯設備を要することなく、コンパクトな構造によって複数の住戸等の配管を効率的かつ経済的に洗浄することができる管内洗浄装置を提供することを課題とするものである。
【課題を解決するための手段】
【００１６】
上記課題を解決するため、請求項１に記載の本発明に係る管内洗浄装置は、住宅内を移動可能な寸法に形成された枠体に、洗浄ホースが巻回されたリールの回転軸の両端部を回転自在に支承するフレームと、このフレームを上記回転軸の中央部を中心として当該回転軸と直交する軸線廻りに回転自在に支承する基台と、上記住宅の１００Ｖ電源により駆動可能なモータと、このモータによって上記フレームを上記軸線廻りに回転させるとともに第１のクラッチが介装されたフレーム回転駆動部と、このフレーム回転駆動部による上記フレームの回転を上記リールの回転軸に伝達するとともに第２のクラッチが介装されたリール回転駆動部と、上記住宅の１００Ｖ電源により駆動可能な高圧ポンプと、この高圧ポンプの吸入側に一端部が接続されるとともに他端部が上記住宅の水道に接続可能な給水側ホースと、上記高圧ポンプの吐出側に一端部が接続されるとともに他端部が回転継手を介して上記洗浄ホースの基端部に接続された排水管とを設けたことを特徴とするものである。
【００１７】
また、請求項２に記載の発明は、請求項１に記載の発明において、上記フレームが、上記リールを囲繞する角筒状に形成され、対向する一対の側板に上記リールの回転軸を支承する軸受けが配置され、底板の中央部に上記フレーム回転駆動部の出力軸が固定されるとともに、上記底板と対向する天板に上記洗浄ホースを外部に導出する孔部が形成されてなり、かつ上記洗浄ホースが挿通された可撓性を有する案内管が、上記孔部に挿入されるとともに上記リールの外周部に沿って設けられていることを特徴とするものである。
【００１８】
さらに、請求項３に記載の発明は、請求項１または２に記載の発明において、上記フレームの上記側板の外面には、当該側板から突出する上記リールの回転軸に回転負荷を与えるブレーキ手段が設けられていることを特徴とするものである。
【００１９】
また、請求項４に記載の発明は、請求項１〜３のいずれかに記載の発明において、上記給水側ホースの上記他端部には、上記住宅の水道の蛇口に取り付けられた洗濯機用の汎用の雄コネクタと着脱可能な雌コネクタが設けられていることを特徴とするものである。
【発明の効果】
【００２０】
請求項１〜４のいずれかに記載の発明においては、住宅内を移動可能な枠体に、洗浄ホースが巻回されたリール、このリールおよび当該リールを支承するフレームを回転させるモータおよび住宅の水道からの水を昇圧させて洗浄液として洗浄ホースに送る高圧ポンプを設置しているために、当該枠体を住宅内に搬入して、モータおよび高圧ポンプの電源用コンセントを家庭用の１００Ｖ電源に接続し、かつ高圧ポンプの給水側ホースを住宅内の水道に接続して高圧の洗浄水を洗浄ホースに供給することにより、当該住宅の配管を洗浄することができる。
【００２１】
この結果、従来のように洗浄水の貯留タンクを搭載したトラック等の別途洗浄水を供給するための大型の付帯設備を要することなく、コンパクトな構造によって複数の住戸等の配管を効率的に洗浄することができる。加えて、高圧ポンプで昇圧した洗浄水を、その場で配管内に供給することができることから、従来のように高圧ポンプにおいて圧力損失を見込んだ高い圧力まで昇圧する必要が無く、よって高圧ポンプとして容量が小さいものを用いることができるために、消費電力も少なくなる。さらに、使用する水量も従来と比較して大幅に減少させることが可能になるために、総じて経済性にも優れる。
【００２２】
また、配管内の洗浄にあたっては、フレーム回転駆動部により、洗浄ホースをその軸線廻りに回転させつつ配管内に送ることができるために、当該配管の折れ曲がり部分においても、円滑に洗浄ホースを前進させることが可能になる。
【００２３】
この際に、特に請求項２に記載の発明によれば、洗浄ホースを、案内管によってリールの外周部から、フレームからの出口となる孔部を介して外方へと円滑に案内することができるために、当該洗浄ホースがリールの外周部において撓んで、フレームに形成した孔部から外方に送り出されなくなることを確実に防止することができる。
【００２４】
さらに、請求項３に記載の発明によれば、洗浄ホースが巻回されたリールの回転軸に、回転負荷を与えるブレーキ手段を設けているために、例えば作業員による接触や、あるいはリールの回転停止時等における惰性によって、リールが余分に回転して洗浄ホースが不要に送り出されることにより、リール外周部において洗浄ホースに撓みを生じたり、あるいは捩れや絡みが生じたりすることも未然に防ぐことができる。
【００２５】
また、多くの住宅においては、洗浄すべき配管が集中する水回りエリアの水道の蛇口に、自動洗濯機の給水ホースの先端の差込口（雌コネクタ）を接続するための給水継手（雄コネクタ）が取り付けられている。そしてこれら差込口および給水継手は、洗濯機メーカの如何に拘わらず、共通の規格の汎用品になっている。そこで、請求項４に記載の発明のように、高圧ポンプの給水側ホースの端部に、予め上記住宅の水道の蛇口に取り付けられた洗濯機用の雄コネクタと着脱可能な雌コネクタを設けておけば、各住宅における給水側ホースの着脱が容易になり、作業の一層の簡易化および円滑化を図ることができる。
【図面の簡単な説明】
【００２６】
【図１】本発明の管内洗浄装置の一実施形態を示す正面図である。
【図２】図１の右側面図である。
【図３】図１の平面図である。
【図４】図１のフレーム回転駆動部とリール回転駆動部とを拡大して示す縦断面図である。
【図５】図１のフレーム部分を拡大した左側面図である。
【図６】図５のリールの回転軸部分を示す横断面図である。
【図７】図５のブレーキ部分の拡大図である。
【図８】図５の一部断面視した拡大図である。
【図９】従来の管内洗浄装置を示す一部断面視した斜視図である。
【図１０】図９の洗浄ホースの先端部を示す斜視図である。
【発明を実施するための形態】
【００２７】
図１〜図８は、本発明に係る管内洗浄装置の一実施形態を示すもので、図中符号１０が枠体である。
この枠体は、アングル材等によって略直方体状のスケルトンに組まれたもので、底部の４角隅部のうちの操作者側の２箇所には一対の大径の車輪１１ａが設けられ、先端側の２箇所には小径のキャスター１１ｂが設けられている。また、操作者側の上部には手押し用のハンドル１２が設けられている。ここで、枠体１０は、先端側の下部に方形枠状の張出部１０ａが設けられるとともに、全体としての縦横高さ寸法が、一般的な住宅の玄関扉から廊下を経て水回りまで走向可能となる寸法に形成されている。
【００２８】
そして、この枠体１０の高さ方向の中間部には、平板状の基台１３が設けられ、この基台１３上に、洗浄ホース（図示を略す。）が巻回されたリール１４を回転自在に支承するフレーム１５が、基台１３と直交する鉛直方向の軸線廻りに回転自在に設けられている。なお、洗浄ホースの先端部には、図１０に示したものと同様の複数の噴射孔５ａを有するノズル５が一体的に設けられている。
【００２９】
また、フレーム１５は、長方形板状の底板１６と、この底板１６の両端部に立設された一対の側板１７と、これら側板１７の上端部間に横架された天板１８とからなる角筒状の部材で、側板１７に、リール１４の回転軸１９の両端部を回転自在に支承する軸受け１７ａが設けられている。また、このフレーム１５は、底板１６に鉛直方向に設けられた支持軸（後述するフレーム回転駆動部２２の出力軸）２０を介して基台１３上に回転自在に設けられている。
【００３０】
また、基台１３には、住宅の１００Ｖ電源により駆動可能なモータ２１が設けられ、このモータ２１の出力軸２１ａに、フレーム１５を上記軸線廻りに回転させるフレーム回転駆動部２２と、フレーム１５内においてリール１４の回転軸１９を回転させるリール回転駆動部２３とが連結されている。
【００３１】
図５に示すように、このフレーム回転駆動部２２は、支持軸２０の外周に回転自在に設けられて、出力軸２１ａの歯車２４を歯合する主歯車２５と、この主歯車２５に対して着脱自在に設けられるとともに、キー２６により支持軸２０と一体化された電磁クラッチ（第１のクラッチ）２７とから構成されたものである。
【００３２】
また、リール回転駆動部２３は、図５および図６に示すように、一方の側板１７の軸受け１７ａから突出する回転軸１９に設けられた歯車２８と、側板１７に沿って上下方向に向けて配置され、上端部にこの歯車２８と歯合する歯車２９が設けられて当該側板１７に回転自在に設けられた駆動軸３０と、この駆動軸３０の外周に設けられてピン３１により一体化された電磁クラッチ（第２のクラッチ）３２と、駆動軸３０の下端部に相対回転自在に、かつ電磁クラッチ３２と着脱自在に設けられた連結歯車３３とから構成されたもので、連結歯車３３が、上記主歯車２５と一体化された歯車２５ａと歯合されている。
【００３３】
さらに、このフレーム１５の側板１７の外面には、図５および図７に示すように、これから突出するリール１４の回転軸１９に回転負荷を与えるブレーキ手段が設けられている。
すなわち、回転軸１９の歯車２８の先端側に、合成樹脂からなる円板状の摩擦板３５が一体的に設けられ（図６では省略してある。）、この摩擦板３５の外周にステンレス製の帯板３６が半周巻回されている。
【００３４】
そして、帯板３６の一端部３６ａは、側板１７に金物３９によって固定されるとともに、他端部３６ｂは、スプリング３７の一端部に連結されている。また、スプリング３７の他端部は、張力調整用のボルト・ナット３８を介して側板１７に固定されている。そして、摩擦板３５，帯板３６およびスプリング３７によって、上記ブレーキ手段が構成されている。
【００３５】
さらに、図２、図５および図８に示すように、リール１４の外周には、当該外周を覆うカバー４０が配設され、当該カバー４０の両端部がフレーム１５の底板１６および天板１８にボルトによって取り付けられている。さらに、天板１８の中央部には、洗浄ホースを出し入れするための孔部１８ａが穿設されているとともに、当該天板１８の上面には、孔部１８ａに連通する貫通孔４１ａが穿設された案内部材４１が取り付けられている。なお、図中４２は、枠体１０の外面を覆うこの管内洗浄装置のケーシングであり、当該ケーシング４２は、図１〜図３においては目視の便宜のために省略してある。
【００３６】
そして、天板１８の孔部１８ａの近傍に位置するリール１４のカバー４０の内周面から、孔部１８ａおよび案内部材４１の貫通孔４１ａを経てケーシング４２の外方に至る部分に、上記洗浄ホースが挿通された可撓性を有する案内管４３が設けられ、カバー４０に固定用バンド４４によって取り付けられている。
【００３７】
他方、枠体１０の張出部１０ａには、洗浄ホースに洗浄液を供給するための高圧ポンプ４５が設置されている。この高圧ポンプ４５は、住宅用の１００Ｖ電源によって駆動されるもので、その吸入側には、給水側ホース４６の一端部が接続されるとともに、この給水側ホース４６の他端部となる先端側には、住宅の水道の蛇口に取り付けられた洗濯機用の汎用の給水継手（雄コネクタ）４７と着脱可能な差込口（雌コネクタ）４８が設けられている。
【００３８】
また、図１に示すように、高圧ポンプ４５の吐出側には、水道水を昇圧することによって得られた高圧の洗浄水を洗浄ホースの基端部に供給するための送水管４９ａが接続されている。この送水管４９ａは、高圧ポンプ４５の吐出側から基台１３を貫通して洗浄液の供給および停止の切り換えレバー５０の入口に接続されている。
【００３９】
そして、図２に示すように、切り換えレバー５０の出口に接続された送水管４９ｂは、再び基台１３を貫通して、図１に示すように、回転継手５１を介して支持軸２０の端部に接続されている。この支持軸２０は、図４に示すように、内部に洗浄水の流路が形成されており、その上端部には、図１に示すように、回転継手５２を介して給水管４９ｃの一端部が接続され、この給水管４９ｃの他端部は、回転継手５３を介してリール１４の回転軸１９の端部に接続されている。
【００４０】
この回転軸１９も、中心部に洗浄液の流路が形成されるとともに、図２に示すように、外周部に当該流路に連通するコネクタ５４が接続され、当該コネクタ５４の先端部に、洗浄ホースの基端部が接続されている。なお、図２中符号５５は、送水管４９ｂからの枝配管４９ｄに接続された圧力計である。また、符号５６は配電盤であり、符号５７は、運転切り換えようのスイッチである。
【００４１】
以上の構成からなる管内洗浄装置によって、住宅内において配管を洗浄するには、作業員が枠体１０のハンドル１２を操作して、車輪１１ａおよびキャスター１１ｂにより、上記管内洗浄装置を当該住宅の玄関ドアから内部に搬入し、廊下を走行させて洗浄すべき配管の接続箇所まで移動させる。次いで、モータ２１および高圧ポンプ４５の共通電源となる電線のコネクタを家庭用の１００Ｖのコンセントに接続するとともに、高圧ポンプ４５の給水側ホース４６を引き出して、先端の差込口４８を上記住宅の蛇口に取り付けられている自動洗濯機給水用の給水継手４７に接続する。
【００４２】
そして、リール１４に巻回されている洗浄ホースの先端部を、案内部材４１の貫通孔４１ａから引き出して、洗浄する配管内に所定長さ送り込んだ後に、スイッチ５７を操作して、モータ２１および高圧ポンプ４５を起動させるとともに、切り換えレバー５０によって、高圧ポンプ４５からの高圧洗浄水を送水管４９ａ〜４９ｃから洗浄ホースに供給する。
【００４３】
すると、図４において、電磁クラッチ２７が作動し、モータ２１によって回転駆動される主歯車２５の回転が支持軸２０に伝達されて、フレーム１５が支持軸２０の軸線廻りに回転する。この際に、フレーム１５の側板１７に設けられているリール回転駆動部２３も、主歯車２５と一体化されている歯車２５ａを歯合する連結歯車３３によって、歯車２５ａの廻りを公転する。このため、連結歯車３３と駆動軸３０とが一体化されていると、駆動軸３０も歯車２５ａ廻りを公転して、当該駆動軸３０の自転が生じないために、リール１４の回転軸１９も回転せず、この結果洗浄ホースの送り出しが阻止されてしまう。このため、モータ２１によってフレーム１５が回転される運転モードでは、電磁クラッチ３２が切られて、連結歯車３３と駆動軸３０との連結が外されることにより、リール１４の回転が自由になっている。
【００４４】
そして、作業員が補助的に一定長さの洗浄ホースをリール１４から引き出して配管内に送り込むことにより、洗浄ホースに供給された高圧の洗浄水が、先端のノズル５から高速で後方かつ外方に向けて噴出して、当該洗浄ホースを配管内へと送り込むための推力を得ることができるとともに、これと併行してリール１４を支持するフレーム１５の回転によって洗浄ホースがその軸回りに回転することにより、配管の内壁を効率的に洗浄して行く。
【００４５】
このようにして、当該住宅の配管の洗浄が完了した後に、レバー５０によって洗浄水の供給を停止するとともに、スイッチ５７を操作して、洗浄ホースの巻き戻しモードに切り換える。すると、高圧ポンプ４５が停止するとともに、電磁クラッチ２７が切られ、かつ電磁クラッチ３２が作動してモータ２１が回転駆動される。これにより、モータ２１の回転が、主歯車２５および歯車２５ａから連結歯車３３に伝達され、さらに電磁クラッチ３２を介して駆動軸３０が回転することにより、歯車２９および歯車２８が回転して、リール１４の回転軸１９が洗浄ホースを巻き戻す方向に回転し、洗浄ホースがリール１４に巻回されて行く。
【００４６】
次いで、洗浄ホースの巻き取りが終了した後に、電線のコネクタを家庭用の１００Ｖのコンセントから抜き取るとともに、ポンプ４５の給水側ホース４６の差込口４８を、上記住宅の蛇口に取り付けられている自動洗濯機給水用の給水継手４７から取り外すことにより、当該住宅における配管の洗浄作業が完了する。
【００４７】
そこで、再び作業員が枠体１０のハンドル１２を操作して、車輪１１ａおよびキャスター１１ｂにより上記管内洗浄装置を当該住宅の外に搬出し、次いで隣接する住宅の玄関ドアから内部に搬入して、上述した工程を繰り返すことにより、複数の住宅の配管洗浄を順次実施することができる。
【００４８】
以上のように、上記構成からなる管内洗浄装置によれば、住宅内を移動可能な枠体１０に、洗浄ホースが巻回されたリール１４、このリール１４およびこれを支承するフレーム１５を回転させるモータ２１および住宅の水道からの水を昇圧させて洗浄液として洗浄ホースに送る高圧ポンプ４５を設置しているために、枠体１０を住宅内に搬入して、モータ２１および高圧ポンプ４５の電源用コンセントを家庭用の１００Ｖ電源に接続し、かつ高圧ポンプ４５の給水側ホース４６を住宅内の水道に接続して昇圧した洗浄水を洗浄ホースに供給することにより、当該住宅の配管を洗浄することができる。
【００４９】
このため、従来のように洗浄水の貯留タンクを搭載したトラック等の別途洗浄水を供給するための大型の付帯設備を要することなく、コンパクトな構造によって複数の住戸等の配管を効率的に洗浄することができる。加えて、高圧ポンプ４５で昇圧した洗浄水を、その場で配管内に供給することができるために、従来のように高圧ポンプにおいて圧力損失を見込んだ高い圧力まで昇圧する必要が無く、よって高圧ポンプ４５として容量が小さいものを用いることができるために、消費電力も少なくなる。さらに、使用する水にも無駄を生じることが無く、よって従来よりもその使用量を大幅に減少させることが可能になるために、総じて経済性にも優れる。
【００５０】
また、配管内の洗浄にあたっては、フレーム回転駆動部２２により、洗浄ホースをその軸線廻りに回転させつつ配管内に送ることができるために、当該配管の折れ曲がり部分においても、円滑に洗浄ホースを前進させることが可能になる。
【００５１】
さらに、天板１８の孔部１８ａの近傍に位置するリール１４のカバー４０の内周面から、孔部１８ａおよび案内部材４１の貫通孔４１ａを経てケーシング４２の外方に至る部分に可撓性を有する案内管４３を設け、この案内管４３に上記洗浄ホースを挿通しているために、洗浄ホースを、案内管４３によってリール１４の外周部からフレーム１５の外方へと円滑に案内することができる。このため、当該洗浄ホースがリール１４の外周部において撓んで、フレーム１５から外方に送り出されなくなることを確実に防止することができる。
【００５２】
しかも、洗浄ホースが巻回されたリール１４の回転軸１９に、回転負荷を与えるための摩擦板３５，帯板３６およびスプリング３７等からなるブレーキ手段を設けているために、例えば作業員が洗浄ホースを送り出す際のリール１４の慣性によって、リール１４が余分に回転して洗浄ホースが不要に送り出されることにより、リール１４の外周部において洗浄ホースに撓みを生じたり、あるいは捩れや絡みが生じたりすることも未然に防ぐことができる。
【００５３】
加えて、高圧ポンプ４５の給水側ホース４６の先端部に、予め住宅の水道の蛇口に取り付けられた洗濯機用の汎用の給水継手４７と着脱可能な差込口４８を設けているために、各住宅における給水側ホース４６の着脱が容易になり、作業の一層の簡易化および円滑化を図ることができる。
【符号の説明】
【００５４】
１０  枠体
１３  基台
１４  リール
１５  フレーム
１６  底板
１７  側板
１７ａ  軸受け
１８  天板
１８ａ  孔部
１９  回転軸
２１  モータ
２２  フレーム回転駆動部
２３  リール回転駆動部
２７  電磁クラッチ（第１のクラッチ）
３２  電磁クラッチ（第２のクラッチ）
３５  摩擦板（ブレーキ手段）
３６  帯板（ブレーキ手段）
３７  スプリング（ブレーキ手段）
４３  案内管
４５  高圧ポンプ
４６  給水側ホース
４７  給水継手（雄コネクタ）
４８  差込口（雌コネクタ）
４９ａ、４９ｂ、４９ｃ  送水管
【要約】
【課題】コンパクトな構造によって複数の住戸等の配管を効率的かつ経済的に洗浄することができる管内洗浄装置を提供する。
【解決手段】住宅内を移動可能な寸法に形成された枠体１０に、洗浄ホースが巻回されたリール１４を回転自在に支承するフレーム１５と、フレームをリールの回転軸１９と直交する軸線廻りに回転自在に支承する基台１３と、１００Ｖ電源により駆動可能なモータ２１と、このモータによってフレームを回転させるフレーム回転駆動部２２およびリールを回転させるリール回転駆動部２３と、１００Ｖ電源により駆動可能な高圧ポンプ４５と、この高圧ポンプの吸入側に接続されるとともに他端部が住宅の水道に接続可能な給水側ホース４６と、高圧ポンプの吐出側に接続されるとともに他端部が回転継手５１〜５３を介して上記洗浄ホースに接続された排水管４９とを設けた。
【選択図】図１【図１】
0005392386.tif 000002
【図２】
0005392386.tif 000003
【図３】
0005392386.tif 000004
【図４】
0005392386.tif 000005
【図５】
0005392386.tif 000006
【図６】
0005392386.tif 000007
【図７】
0005392386.tif 000008
【図８】
0005392386.tif 000009
【図９】
0005392386.tif 000010
【図１０】
0005392386.tif 000011